(57)【要約】      （修正有）【課題】金属製支持脚の固定プレートに導線の端子取付け構造を設けるにあたり、ねじ部に付着した表面材料を除去するための再タップ加工や再ダイス加工、固定プレートへのボルトやナットの溶接加工の工数及びコストを抑制して、より安価に製品を提供できるようにしたフリーアクセスフロア用金属製支持脚を提供する。【解決手段】金属製支持脚の固定プレート１と、アース用導線につなげられたアース導線用端子とを締結固着し、固定プレートと建物アースとをアース用導線で電気的に連結する構造が、固定プレートの下側接着面にボルトの頭部が突出しないよう、ボルトの頭部が該下側接着面に突出せずに収まる沈頭構造を持ち、使用されるボルトよりも大きな内径を持つ貫通穴に、前記アース導線用端子が、ねじ構造にて前記固定プレートに締結固着されることを特徴とする。【選択図】図１
0003187798.tif 000002
【実用新案登録請求の範囲】
【請求項１】
建造物の下地床面に間隔を置いて配設された支持脚にわたってフロアパネルを載承敷設して、下地床面の上方にフリーアクセスフロア（二重床）を構築するためのフリーアクセスフロア用の金属製支持脚であって、
フリーアクセスフロア上に載置された電算機等に影響を与える電気ノイズを除去するために、前記金属製支持脚の固定プレートと、アース用導線につなげられたアース導線用端子とを締結固着し、前記固定プレートと建物アースとを前記アース用導線で電気的に連結する構造が、
前記固定プレートの下側接着面にボルトの頭部が突出しないよう、ボルトの頭部が該下側接着面に突出せずに収まる沈頭構造を持ち、使用されるボルトよりも大きな内径を持つ貫通穴に、前記アース導線用端子が、ねじ構造にて前記固定プレートに締結固着されることを特徴とするフリーアクセスフロア用金属製支持脚。
【請求項２】
防錆のために施される表面処理が、電気的導通性をもった塗料を用いた塗装または電気的導通性をもったメッキであることを特徴とする請求項１に記載のフリーアクセスフロア用金属製支持脚。
【請求項３】
防錆のために施される表面処理が、電気的絶縁性をもった防錆用塗料の塗装であり、アース導線用端子と固定プレートの間に、ボルトやナットの締め込みによって締結固着部の表面塗装を剥離することができる歯付座金を用いることで、アース導線用端子を締結固着する際に電気的導通性を確保できることを特徴とする請求項１に記載のフリーアクセスフロア用金属製支持脚。
【請求項４】
前記沈頭構造は、該下側接着面側に向かって径方向に拡がるテーパー状の貫通穴であり、皿頭ボルトの頭部が該下側接着面に突出せずに収まり、前記アース導線用端子が、前記固定プレートにねじ構造にて締結固着されることを特徴とする請求項１〜３に記載のフリーアクセスフロア用金属製支持脚。
【請求項５】
前記沈頭構造は、該下側接着面側が凹形状であり、ボルトの頭部が下側接着面に突出せずに収まる凹部に形成された沈頭貫通穴であり、前記アース導線用端子が、前記固定プレートにねじ構造にて締結固着されることを特徴とする請求項１〜３に記載のフリーアクセスフロア用金属製支持脚。
【考案の詳細な説明】
【技術分野】
【０００１】  本考案は、建造物の下地床面に間隔を置いて配設された支持脚にわたってフロアパネルを載承敷設して、前記下地床面の上方にフリーアクセスフロア（二重床）を構築するためのフリーアクセスフロア用の金属製支持脚に関し、特に、フリーアクセスフロア用の金属製支持脚と、建物アースとを、導線で電気的に連結するための構造に関するものである。
【背景技術】
【０００２】  例えば、フリーアクセスフロア上に載置された電算機などに影響を与える電気ノイズを除去するために、フリーアクセスフロア用の金属製支持脚の固定プレートに直接タップ加工を施す、またはボルトやナットを溶接固着するなどしてねじ構造を設け、アース用導線に取り付けられた端子をボルトやナットで締結固着することで、該固定プレートと建物アースとを導線で電気的に連結する方法がとられている。【０００３】  前記フリーアクセスフロア用の金属製支持脚の固定プレートは、コンクリートなどにより平面に仕上げられた下地床面に、接着剤などを用いて接合固着されるため、前記固定プレートの下側接着面には突起物が無いことが求められるため、前記固定プレートの上面に雌ねじ（ナット）あるいは雄ねじ（ボルト）などを溶接で接合固着する方法が用いられる。【０００４】  なお、フリーアクセスフロアの支持脚は湿度が高く金属が腐食しやすい環境に設置されるため、金属製の支持脚などには防錆のための表面処理を施す。前記表面処理には、メッキや塗装などがあるが、電気亜鉛メッキを使用するとウィスカが発生し、飛散した糸状のウィスカが電算機などに侵入し、回路の短絡などの不具合を生じるおそれがあるため、ウィスカの発生を抑えることができる溶融亜鉛メッキが用いられる。【０００５】  前記ねじ構造物の溶接接合を固定プレートへ良好に行うためには、前記表面処理の前にナットやボルトの溶接を行う必要がある。
しかし、ナットやボルトを固定プレートに溶接で接合固着した後にメッキや防錆用の塗装などを行うと、ナットやボルトのねじ部に表面処理に用いられるメッキ材や塗料などが付着堆積し、アース導線用端子を締結するためのボルトやナットを締めこむ事が困難になる。また、防錆用の塗装を施した場合には、塗料が絶縁体となるため、アース導線用端子との電気的な導通が困難になる。
そのため、防錆のための表面処理を施した後に、ねじ部に付着堆積した表面材料を除去するための再タップ加工や再ダイス加工などの工数及びコストが発生するといった問題があった。【０００６】  これらの問題を解決する方法として、下記実用新案文献１に記載されている方法が知られている。
実用新案文献１に記載の方法は、金属製部材に設けられたねじ部を加工した後に、粘着テープを貼付けることでねじ部を保護し、その上から防錆用の塗装を施すことにより、金属製部材に設けられたねじ部にねじの締め込みや電気的導通性を阻害する表面材料が付着することを防止する。
【先行技術文献】
【実用新案文献】
【０００７】
【実用新案文献１】
実用新案第２５９６８１０号
【考案の概要】
【考案が解決しようとする課題】
【０００８】  しかしながら、前記文献１の方法では、金属製部材の生産時にすべての製品のねじ部に粘着テープを貼り付けることになり、粘着テープ材料コストと粘着テープ貼付の工数がかかることになる。また、ねじ部の保護手段が粘着テープであるため、防錆のための表面処理が溶融亜鉛メッキなど、メッキ処理時に高温になる場合では粘着テープが消失してしまうため、この方法を使用することができない。【０００９】  また、アース導線用端子を締結固着するためのナットやボルトを溶接で接合固着する方法では、アース導線用端子を固定プレートに複数接続固定するためには、ナットやボルトを複数溶接することになり、１つの固定プレートで複数回の溶接工程が必要となり、加工コストが嵩む問題が残る。【００１０】  本考案はこのような問題を解消することを課題として創案されたものである。すなわち、金属製支持脚の固定プレートに導線の端子取付け構造を設けるにあたり、ねじ部に付着した表面材料を除去するための再タップ加工や再ダイス加工、固定プレートへのボルトやナットの溶接加工の工数及びコストを抑制して、より安価に製品を提供できるようにすること、などが本考案の目的である。
【課題を解決するための手段】
【００１１】  このような目的を達成解決するために、本考案に掛かるフリーアクセスフロアの金属製支持脚固定プレートでは、以下の構成を少なくとも具備しているものである。【００１２】  フリーアクセスフロアの金属製支持脚支柱を立設させる固定プレートに適用されて、前記固定プレートにアース導線用端子をボルトやナットにて締結固着するための端子取り付け部であって、表面処理材の付着堆積があってもボルトの貫通に支障が無いよう、前記固定プレートには使用されるボルト径よりも大きな直径をもった貫通穴が形成され、前記固定プレートは前記貫通穴の加工形成後に防錆用の表面処理が施され、アース導線用端子が、ボルトとばね座金とナットにて前記固定プレートに締結固着されることを特徴とする。【００１３】  前記貫通穴は、前記アース導線用端子を締結固着するためのボルトの頭が前記固定プレートの下側接着面に突出しないようにするための沈頭構造として、固定プレート下側接着面側に向かって径方向に拡がるテーパー状の貫通穴と皿頭ボルトによる構成や、固定プレート下側接着面側にボルトの頭部が収まる寸法の凹形状をもった貫通穴とボルトによる構成などを用いることができる。これらの沈頭構造の形成にはプレス板金による一括加工などを用いることが出来、前記沈頭穴形状形成後に防錆用の表面処理が施され、アース導線用端子が、ボルト、ばね座金、ナットなどのねじ構造にて前記固定プレートに締結固着される。【００１４】  また、前記防錆用の表面処理において、防錆用の塗装に電気的絶縁性をもった塗料を用いる場合は、塗料が絶縁体となるため、アース導線用端子を締結固着するボルトとナットに歯付座金を組み合わせることで、ねじ締め込み時にねじ締め込み部の塗料が除去されることにより電気的導通性を確保する。
または前記防錆用の表面処理において、電気的導通性を有するメッキや電気的導通性をもった塗料による塗装をすることで、アース用導線との電気的導通性を確保する。
【考案の効果】
【００１５】  このような特徴を有する本考案にかかるフリーアクセスフロアの金属製支持脚支柱を立設させる固定プレートによれば、以下の効果が得られる。
前記固定プレートに設けられたアース導線用の端子を締結固着するための構造は、ねじ山などのネジ構造を持たない貫通穴であり、表面処理材の付着堆積があってもボルトの貫通に支障が無いよう、使用されるボルト径よりも大きな直径をもって穿孔されているので、防錆用の塗装やメッキなどの表面処理後に再タップ加工や再ダイス加工などの表面材料の除去が不要になる。
また、前記固定プレートへのナットやボルトの溶接固着加工が不要になる。
貫通穴の形成はボルトの沈頭構造の凹形状の形成を固定プレート形成時のプレス加工時に一括で加工形成することができるので、加工工数やコストを抑制することができる。
【図面の簡単な説明】
【００１６】
【図１】本考案の実施形態に係るフリーアクセスフロア支持脚の全体を示す側面図である。
【図２】Ａ部詳細側面断面図である。
【図３】本考案の実施形態に係るフリーアクセスフロア支持脚の固定プレートへのアース用導線端子を皿頭ボルトと皿頭ボルト沈頭貫通穴を用いて締結固着した一例を示す斜視図である。
【図４】本考案の実施形態に係るフリーアクセスフロア支持脚の固定プレートへのアース用導線端子をボルトとボルト沈頭貫通穴を用いて締結固着した一例を示す側面断面図である。
【図５】本考案の実施形態に係る防錆用に電気的絶縁性をもった塗料を用いた塗装を施したフリーアクセスフロア支持脚の固定プレートへのアース用導線端子を歯付座金を用いて締結固着した一例を示す側面断面図である。
【図６】フリーアクセスフロア支持脚の全体を示す２面図と、従来技術のアース用導線端子締結固着構造を示す平面断面図である。
【図７】ボルトを溶接した従来例を示す斜視図である。
【図８】長ナットを溶接した従来例を示す斜視図である。
【考案を実施するための形態】
【００１７】  以下、本考案の実施形態について、適宜図面を参照しながら詳細に説明する。本考案の実施形態は図示の内容を含むがこれのみに限定されるものではない。図１は、本考案の実施形態に掛かるフリーアクセスフロア支持脚とアース導線用端子を締結固着するための構造を示す説明図である。
【実施例】
【００１８】  図中、１２は本考案に係る支持脚を示し、１７は支持脚を接着剤などで固定する下地床面を示し、８は支持脚固定プレート１に連結されるアース用導線端子を示す。【００１９】  図２に示す、フリーアクセスフロアの固定プレート１に穿孔された貫通穴２は、固定プレート１と下地床面１７との下側接着面に、アース導線用端子８を締結固着するための皿頭ボルト３の頭が突出しないよう、該下側接着面側に向かって径方向に拡がる、皿頭ボルトの頭部が収まるテーパー状の貫通穴２が形成され、該固定プレートは防錆のために電気的導通性をもった塗料を用いた塗装または電気的導通性をもった溶融亜鉛メッキが施され、該貫通穴に皿頭ボルト３がナット４にて締結され、アース導線用端子８は、ナット４の上にばね座金５と袋ナット６にて該固定プレートに締結固着される。テーパー状の貫通穴形状は固定プレート形成時の一回のプレス板金加工で形成することが可能であり、タップなどの切削加工を別途必要とするねじ構造よりも加工コストを抑えることができ、経済的により好適なものとなる。【００２０】  また、図４に示す、フリーアクセスフロアの固定プレート１に設けられた段差に穿孔された貫通穴９は、固定プレート１と下地床面１７との下側接着面に、アース導線用端子８を締結固着するためのボルト１１の頭部が突出しないよう、該下側接着面側に凹形状を持つ、ボルトの頭部が収まる沈頭構造凹部１０が形成され、該固定プレートは防錆のために電気的導通性をもった塗料を用いた塗装または電気的導通性をもった溶融亜鉛メッキが施され、該貫通穴にボルト１１がナット４にて締結され、アース導線用端子８は、ナット４の上にばね座金５と袋ナット６にて該固定プレートに締結固着される。沈頭穴形状は固定プレート形成時の一回のプレス板金加工で形成することが可能であり、タップなどの切削加工を別途必要とするねじ構造よりも加工コストを抑えることができ、経済的により好適なものとなる。【００２１】  表面処理材の付着堆積があってもポルトの貫通に支障が無いよう、前記貫通穴は使用されるボルト径よりも大きな直径をもつため、メッキなどの表面処理後に再タップ加工や再ダイス加工などの表面材料の除去が不要になる。【００２２】  固定プレート表面に施される防錆用の表面処理は、電気的導通性をもった塗料を用いた塗装または電気的導通性をもったメッキを施す他に、電気的絶縁性をもった塗料による塗装を施すことが可能であり、前記塗料による塗装を施した場合には図５に示す通り、ナット４と固定プレート１の間に、締め込みによって前記固定プレート上方の歯付座金と接する締結固着部の表面塗装を剥離することができる歯付座金７を用いることで、アース導線用端子を締結固着する際に、表面材料を除去する加工を施すことなく、電気的に接続されるものである。
【符号の説明】
【００２３】１  固定プレート
２  皿頭ボルト沈頭貫通穴
３  皿頭ボルト
４  六角ナット
５  ばね座金
６  袋ナット
７  歯付座金
８  アース導線用端子
９  貫通穴
１０  ボルト沈頭構造凹部
１１  ボルト
１２  フリーアクセスフロア支持脚
１３  溶接ボルト
１４  溶接ビード
１５  溶接ナット（長）
１６  なべ頭ビス
１７  下地床面
【図１】
0003187798.tif 000003
【図２】
0003187798.tif 000004
【図３】
0003187798.tif 000005
【図４】
0003187798.tif 000006
【図５】
0003187798.tif 000007
【図６】
0003187798.tif 000008
【図７】
0003187798.tif 000009
【図８】
0003187798.tif 000010